(57)【要約】【課題】  フロントケース、リアカバーおよび電池カバーを有する携帯電話において、全体としての側面のデザイン性を良くする。【解決手段】  リアカバー１１の表面側に電池カバー２１を取り付けると、電池カバー２１の側壁部２３の下端部がフロントケース１の切欠部２に嵌め合わされる。これにより、リアカバー１１の側面は電池カバー２１によって完全に覆われる。したがって、全体としての側面においてフロントカバー１と電池カバー２１との境界線のみが露呈され、全体としての側面のデザイン性を良くすることができる。【選択図】図５
2013005133.tif 000002
【特許請求の範囲】
【請求項１】
フロントケースと、前記フロントケースの一面に設けられ、電池収納部を有するリアカバーと、前記リアカバーの表面を完全に覆い、且つ、側壁部の先端部で前記フロントケースの側面の一部を覆うように設けられた電池カバーとを備えていることを特徴とする携帯型電子機器。
【請求項２】
前記フロントケースの外周部一面側にはリング状の切欠部が設けられ、前記電池カバーの側壁部の先端部は前記フロントケースの切欠部に嵌め合わされていることを特徴とする請求項１に記載の携帯型電子機器。
【請求項３】
前記電池カバーの側壁部の内面に設けられた第１の係止突起が前記リアカバーの側面に設けられた係止突起に取り外し可能に係止され、且つ、前記電池カバーの側壁部の下端面に設けられた第２の係止突起が前記フロントケースの切欠部に設けられた係止溝に取り外し可能に係止されていることを特徴とする請求項１または２に記載の携帯型電子機器。
【請求項４】
前記電池カバーの第１の係止突起および前記リアカバーの係止突起は複数であり、且つ、前記電池カバーの第２の係止突起および前記フロントケースの係止溝は複数であることを特徴とする請求項３に記載の携帯型電子機器。
【請求項５】
前記電池カバーの第１の係止突起および前記リアカバーの係止突起の位置と前記電池カバーの第２の係止突起および前記フロントケースの係止溝の位置とは異なることを特徴とする請求項３または４に記載の携帯型電子機器。
【発明の詳細な説明】
【技術分野】
【０００１】
この発明は携帯電話等の携帯型電子機器に関する。
【背景技術】
【０００２】
例えば、従来の携帯電話には、例えば特許文献１に記載のように、フロントカバー（フロントケース）の上面にリアカバーが設けられ、リアカバーの上面側に電池収納部が設けられ、リアカバーの上面に電池収納部を覆うための電池カバーが取り外し可能に取り付けられたものがある。この場合、電池カバーの下面外周部に設けられた係止突起をリアカバーの上面外周部に設けられた係止突起に取り外し可能に係止することにより、電池カバーをリアカバーの上面に取り外し可能に取り付けるようにしている。
【先行技術文献】
【特許文献】
【０００３】
【特許文献１】特開２００１−１２７８５６号公報（図９）
【発明の概要】
【発明が解決しようとする課題】
【０００４】
しかしながら、特許文献１に記載の携帯電話では、全体としての側面においてフロントカバーとリアカバーとの境界線およびリアカバーと電池カバーとの境界線が共に露呈するため、全体としての側面のデザイン性に問題があるという問題がある。
【０００５】
そこで、この発明は、フロントケース、リアカバーおよび電池カバーを有しているにも拘わらず、全体としての側面のデザイン性を良くすることができる携帯型電子機器を提供することを目的とする。
【課題を解決するための手段】
【０００６】
この発明に係る携帯型電子機器は、フロントケースと、前記フロントケースの一面に設けられ、電池収納部を有するリアカバーと、前記リアカバーの表面を完全に覆い、且つ、側壁部の先端部で前記フロントケースの側面の一部を覆うように設けられた電池カバーとを備えていることを特徴とするものである。
【発明の効果】
【０００７】
この発明によれば、フロントケース、リアカバーおよび電池カバーを有しているにも拘わらず、全体としての側面のデザイン性を良くすることができる。
【図面の簡単な説明】
【０００８】
【図１】この発明の一実施形態としての携帯電話の斜視図。
【図２】図１に示す携帯電話の側面図。
【図３】図１に示すフロントケースおよびリアカバーの斜視図。
【図４】図１に示す電池カバーの下面側から見た斜視図。
【図５】図１のＶ−Ｖ線に沿う部分つまり電池カバーの第１の係止突起に対応する部分における一部の断面図。
【図６】電池カバーの第２の係止突起に対応する部分における図５同様の断面図。
【図７】電池カバーの第１、第２の係止突起に対応しない部分における図５同様の断面図。
【図８】電池カバーを取り外す初期の状態における図５同様の断面図。
【図９】電池カバーを取り外す初期の状態における図６同様の断面図。
【図１０】電池カバーを取り外す初期の状態における図７同様の断面図。
【発明を実施するための形態】
【０００９】
図１はこの発明の一実施形態としての携帯電話の斜視図を示し、図２は同携帯電話の側面図を示す。この携帯電話では、外観的には、フロントケース１の上側に電池カバー２１が設けられた構造となっている。この場合、図２に示すように、フロントケース１の露出する側面の高さは電池カバー２１の露出する側面の高さよりもかなり低くなっている。
【００１０】
次に、図３はフロントケース１および後述するリアカバー１１の斜視図を示す。図４は電池カバー２１の下面側から見た斜視図を示す。図５は図１のＶ−Ｖ線に沿う部分の一部の断面図を示す。
【００１１】
まず、図５を参照して説明する。フロントケース１はＡＢＳ樹脂等によって方形枠状に形成されている。フロントケース１の外周部上面側にはリング状の切欠部２（図３参照）が設けられている。フロントケース１の内側にはステンレス等からなるほぼ方形状の板金３の外周部がインサート成形により埋め込まれている。この状態では、板金３の外周部を除く上面および下面は露出されている。板金３の下面には液晶表示パネル４が設けられている。液晶表示パネル４の下面にはタッチパネルスクリーン５が設けられている。
【００１２】
フロントケース１の上面にはＡＢＳ樹脂等からなるリアカバー１１が設けられている。フロントケース１とリアカバー１１との間は、フロントケース１の上面外周部に設けられたリング状の防水用溝１２内に設けられたシール部材１３によって防水されている。フロントケース１とリアカバー１１との間には回路基板１４が設けられている。
【００１３】
リアカバー１１の所定の箇所にはほぼ方形状の開口部からなる電池収納部１５（図３参照）が設けられている。リアカバー１１の上面において電池収納部１５の周囲にはリング状の防水用溝１６（図３参照）が設けられている。リアカバー１１の電池収納部１５内において回路基板１４の上面には電池パック１７が収納されている。この状態では、電池パック１７は回路基板１４に電気的に接続されている。
【００１４】
リアカバー１１の表面側にはＡＢＳ樹脂等からなる電池カバー２１が設けられている。ここで、図４に示す、電池カバー２１の下面側から見た斜視図を参照して説明すると、電池カバー２１の本体部分はほぼ長方形状の板部２２の外周部に外面が湾曲した側壁部２３が設けられた構造となっている。
【００１５】
電池カバー２１の板部２２の下面（図４では上面）の所定の箇所（図３に示す防水用溝１６に対応する部分）にはリング状の突起２４およびこの突起２４の表面に一体成形されたゴムからなるシール部材２５（図５参照）が設けられている。そして、図５に示すように、リアカバー１１の表面側に電池カバー２１が取り付けられた状態では、シール部材２５がリアカバー１１の防水用溝１６内に圧入され、これにより電池収納部１５が防水されるようになっている。
【００１６】
次に、図３を参照して説明すると、リアカバー１１の右側面の所定の複数箇所（例えば３箇所）には係止突起１８（図５参照）が設けられている。フロントケース１の右側の切欠部２の上面の所定の複数箇所つまりリアカバー１１の各係止突起１８の右側には係止凹部６（後述する図６参照）が設けられている。なお、図３では見えないが、リアカバー１１の左側面にも係止突起が右側の係止突起１８と線対称に設けられ、フロントケース１の左側の切欠部２の上面にも係止凹部が右側の係止凹部６と線対称に設けられている。
【００１７】
次に、図４を参照して説明すると、電池カバー２１の右側の側壁部２３の内面および左側の側壁部２３の内面において、図３に示すリアカバー１１の係止突起１８にそれぞれ対応する部分には第１の係止突起２６（図５参照）が設けられている。また、電池カバー２１の右側の側壁部２３の下端面（先端面）内側および左側の側壁部２３の下端面（先端面）内側において、図３に示すフロントケース１の係止凹部６にそれぞれ対応する部分には第２の係止突起２７（後述する図６参照）が設けられている。
【００１８】
ここで、図５は、上述の如く、図１のＶ−Ｖ線に沿う部分の断面図であるが、詳細には、電池カバー２１の第１の係止突起２６に対応する部分における一部の断面図を示す。図６は電池カバー２１の第２の係止突起２７に対応する部分における図５同様の断面図を示す。図７は電池カバー２１の第１、第２の係止突起２６、２７に対応しない部分における図５同様の断面図を示す。
【００１９】
そして、リアカバー１１の表面側に電池カバー２１を取り付けた状態では、図５〜図７に示すようになる。すなわち、まず、図５に示すように、電池カバー２１の第１の係止突起２６がリアカバー１１の係止突起１８に係止され、且つ、電池カバー２１の側壁部２３の下端部がフロントケース１の切欠部２に嵌め合わされる。また、図６に示すように、電池カバー２１の第２の係止突起２７がフロントケース１の係止凹部６に係止され、且つ、電池カバー２１の側壁部２３の下端部がフロントケース１の切欠部２に嵌め合わされる。さらに、図７に示すように、電池カバー２１の第１の係止突起２６および第２の係止突起２７が存在しない部分では、電池カバー２１の側壁部２３の下端部がフロントケース１の切欠部２に嵌め合わされるだけとなる。
【００２０】
以上のように、この携帯電話では、図５〜図７に示すように、リアカバー１１の表面側に電池カバー２１が取り付けられると、電池カバー２１の側壁部２３の下端部がフロントケース１の切欠部２に嵌め合わされるので、リアカバー１１の側面は電池カバー２１の側壁部２３によって完全に覆われる。この結果、図２に示すように、全体としての側面においてフロントカバー１と電池カバー２１との境界線のみが露呈され、全体としての側面のデザイン性を良くすることができる。また、フロントケース１に切欠部２を設けることにより、この部分の厚さを薄くすることができるので、フロントケース１に切欠部２を設けない場合と比較して、フロントケース１の外観にヒケが発生しにくいようにすることができる。
【００２１】
次に、電池カバー２１をリアカバー１１から取り外す場合について説明する。まず、電池カバー２１をリアカバー１１から取り外す初期の状態では、図５および図７と同様の断面図である図８および図１０に示すように、電池カバー２１の側壁部２３の下端部がフロントケース１の切欠部２から離間し始め、また電池カバー２１の第１の係止突起２６がリアカバー１１の係止突起１８から外れ始め、さらに図６と同様の断面図である図９に示すように、電池カバー２１の第２の係止突起２７がフロントケース１の係止凹部６から外れ始める。この初期の状態を経過した後に、電池カバー２１はリアカバー１１から取り外される。
【００２２】
ところで、電池カバー２１の第２の係止突起２７およびフロントケース１の係止凹部６を設けずに、電池カバー２１の第１の係止突起２６をリアカバー１１の係止突起１８に係止させるようにした場合には、電池カバー２１の側壁部２３の下端部の剛性不足により、電池カバー２１の側壁部２３の下端部が外側に向かって変形するおそれがある。したがって、電池カバー２１の第２係止突起２７をフロントケース１の係止凹部６に係止させるのは、電池カバー２１の側壁部２３の下端部が外側に向かって不要に変形するのを防止するためである。
【００２３】
また、電池カバー２１の第２の係止突起２７およびフロントケース１の係止凹部６を設けずに、フロントケース１の切欠部２の部分において、電池カバー２１の第１の係止突起２６をリアカバー１１の係止突起１８に係止させるようにした場合には、フロントケース１の切欠部２の部分にリアカバー１１の係止突起１８の部分および電池カバー２１の第１の係止突起２６の部分が配置されることになるので、リアカバー１１の係止突起１８の部分の厚さに相当する分だけ、フロントケース１のサイズを大きくしなければならない。したがって、電池カバー２１の第２の係止突起２７をフロントケース１の係止凹部６に係止させるのは、電池カバー２１の側壁部２３の下端部が外側に向かって不要に変形するのを防止するためであるとともに、フロントケース１のサイズが大きくならないようにするためである。
【００２４】
また、電池カバー２１の第１の係止突起２６およびリアカバー１１の係止突起１８の位置と電池カバー２１の第２の係止突起２７およびフロントケース１の係止凹部６の位置とが異なるようにしているのは、以下の理由による。すなわち、電池カバー２１の第１の係止突起２６およびリアカバー１１の係止突起１８の位置と電池カバー２１の第２の係止突起２７およびフロントケース１の係止凹部６の位置とを同じとした場合には、同じ位置で二重にロックされるため、電池カバー２１を外しにくくなり、極端な場合には電池カバー２１を外すことができなくなってしまう。
【００２５】
なお、この発明は、携帯電話に限らず、ＰＨＳ（Personal Handyphone System）、ＰＤＡ（Personal Data Assistance, Personal Digital Assistance:個人向け携帯型情報通信機器）等の携帯端末機器等の電子機器にも適用することができる。
【００２６】
以下、この発明の諸態様を付記としてまとめて記載する。
【００２７】
（付記１）
付記１の発明は、フロントケースと、前記フロントケースの一面に設けられ、電池収納部を有するリアカバーと、前記リアカバーの表面を完全に覆い、且つ、側壁部の先端部で前記フロントケースの側面の一部を覆うように設けられた電池カバーとを備えていることを特徴とする携帯型電子機器である。
【００２８】
（付記２）
付記２の発明は、前記フロントケースの外周部一面側にはリング状の切欠部が設けられ、前記電池カバーの側壁部の先端部は前記フロントケースの切欠部に嵌め合わされていることを特徴とする付記１に記載の携帯型電子機器である。
【００２９】
（付記３）
付記３の発明は、前記電池カバーの側壁部の内面に設けられた第１の係止突起が前記リアカバーの側面に設けられた係止突起に取り外し可能に係止され、且つ、前記電池カバーの側壁部の下端面に設けられた第２の係止突起が前記フロントケースの切欠部に設けられた係止溝に取り外し可能に係止されていることを特徴とする付記１または２に記載の携帯型電子機器である。
【００３０】
（付記４）
付記４の発明は、前記電池カバーの第１の係止突起および前記リアカバーの係止突起は複数であり、且つ、前記電池カバーの第２の係止突起および前記フロントケースの係止溝は複数であることを特徴とする付記３に記載の携帯型電子機器である。
【００３１】
（付記５）
付記５の発明は、前記電池カバーの第１の係止突起および前記リアカバーの係止突起の位置と前記電池カバーの第２の係止突起および前記フロントケースの係止溝の位置とは異なることを特徴とする付記３または４に記載の携帯型電子機器である。
【符号の説明】
【００３２】
１  フロントケース
２  切欠部
６  係止凹部
１１  リアカバー
１５電池収納部  
１７  電池パック
１８  係止突起
２１  電池カバー
２３  側壁部
２６  第１の係止突起
２７  第２の係止突起
【図１】
2013005133.tif 000003
【図２】
2013005133.tif 000004
【図３】
2013005133.tif 000005
【図４】
2013005133.tif 000006
【図５】
2013005133.tif 000007
【図６】
2013005133.tif 000008
【図７】
2013005133.tif 000009
【図８】
2013005133.tif 000010
【図９】
2013005133.tif 000011
【図１０】
2013005133.tif 000012